(57)【要約】【課題】冬季の積雪による倒壊を防ぐため、露地栽培用のビニールハウスはビニールを取り外す。しかし大量の降雪があると、ビニールハウスの雨樋上に雪が積もり、その雪が更にビニールハウスのフレームを伝って上部方向へ積もることで、ビニールハウスのフレームが倒壊する事例が多く発生していた。よって上記問題を解決する雨樋用のカバーおよび耐雪ビニールハウスを提供することが、本発明が解決しようとする課題である。【解決手段】カバーの上部が、左右両側にそれぞれ下り傾斜する三角屋根形状である防雪カバー、およびこの防雪カバーを備えたビニールハウスにより上記問題を解決した。【選択図】図１
2014057550.tif 000002
【特許請求の範囲】
【請求項１】
連棟ビニールハウスの屋根の谷部に設けた雨樋上に設置するカバーであって、
このカバーの上部が、左右両側にそれぞれ下り傾斜する三角屋根形状である防雪カバー。
【請求項２】
前記カバーの下部に、前記雨樋の溝部に挿入する鉛直位置決め片を設けた請求項１に記載の防雪カバー。
【請求項３】
前記三角屋根の下端部分を内側に折り曲げることで軒を形成し、
かつこの軒の端部を鉛直下方に向けて折り曲げることで、前記雨樋の溝部に挿入する鉛直位置決め片を一体的に形成した請求項１または請求項２に記載の防雪カバー。
【請求項４】
前記三角屋根形状の頂部に、前記カバーの長手方向に沿った鉛直雪割片を接合したことを特徴とする請求項１から請求項３のいずれかに記載の防雪カバー。
【請求項５】
前記三角屋根形状の下端が、
前記雨樋の最外端よりもさらに外側に位置する請求項１から請求項４のいずれかに記載の防雪カバー。
【請求項６】
前記鉛直位置決め片を、雨樋に設けた溝部に緊合する請求項２から請求項５のいずれかに記載の防雪カバー。
【請求項７】
前記カバーを長手方向に複数個並べたときに、互いの左右の位置関係を決定するための相互位置決め片を、
前記カバーの長手方向の端部に設けたことを特徴とする請求項１から請求項６のいずれかに記載の防雪カバー。
【請求項８】
屋根の谷部に雨樋を設けた連棟ビニールハウスであって、
この雨樋の上に請求項１から請求項７のいずれかに記載の防雪カバーを設置したことを特徴とする耐雪連棟ビニールハウス。
【発明の詳細な説明】
【技術分野】
【０００１】
本発明は、連棟ビニールハウスの屋根の谷部に設けた雨樋上に設置するカバーに関するものである。
【背景技術】
【０００２】
露地栽培の果物の商品価値を高める方法として、屋根のみビニールで覆ったビニールハウスを利用して収穫期の数ヶ月前から果実に雨がかからないようにする方法が採用されている。この場合、樹木を囲うようにビニールハウスのフレームのみを組み立て、一定の時期が来るとそのフレームを利用して屋根部分をビニールで覆うようにする。例えば東北地方のサクランボの露地栽培では、４月前後にビニールで屋根に覆いをかけ、梅雨と重なる収穫期の６，７月はそのビニールにより雨を避け収穫を行い、その後ビニールを取り払う。
【０００３】
露地栽培は温室栽培に比較すると栽培費用が低く抑えられる。特に冬場に雪が降り積もる地域において温室栽培を行う場合は特許文献１にあるような融雪設備を施す必要があるが、露地栽培の場合はビニールを取り払うことで、屋根部分に雪が積もることを避けることができる。一部雨樋などに積もる部分があるものの、一定以下の積雪であればそれによってビニールハウスが倒壊することがない。
【０００４】
しかし近年数日という短い期間に大量の降雪がある場合が多くなった。この場合雪下ろしをするタイミングを逸し、ビニールハウスの雨樋上に雪が積もり、その雪が更にビニールハウスのフレームを伝って上部方向へ積もることで、ビニールハウスのフレームが倒壊する事例が多く発生していた。またこれを避けるために、温室栽培用の設備を導入することも考えられるが、費用が高くなり露地栽培の利点が失われるという問題があった。
【先行技術文献】
【特許文献】
【０００５】
【特許文献１】特開２００３−７５号公報
【発明の概要】
【発明が解決しようとする課題】
【０００６】
既存の温室栽培用融雪装置のように高価な設備を用いずに、連棟ビニールハウスの屋根の谷部に設けた雨樋の上の雪を除去する安価なカバーを提供することである。また、そのようなカバーを備えた連棟ビニールハウスを提供することである。
【課題を解決するための手段】
【０００７】
本発明は、上記課題を解決すべく次のような技術的手段を講じた。
すなわち、請求項１記載の発明は、連棟ビニールハウスの屋根の谷部に設けた雨樋上に設置するカバーであって、このカバーの上部が、左右両側にそれぞれ下り傾斜する三角屋根形状である防雪カバーである。
【０００８】
また、請求項２記載の発明は、前記カバーの下部に、前記雨樋の溝部に挿入する鉛直位置決め片を設けた請求項１に記載の防雪カバーである。
【０００９】
また、請求項３記載の発明は、前記三角屋根の下端部分を内側に折り曲げることで軒を形成し、かつこの軒の端部を鉛直下方に向けて折り曲げることで、前記雨樋の溝部に挿入する鉛直位置決め片を一体的に形成した請求項１または請求項２に記載の防雪カバーである。
【００１０】
また、請求項４記載の発明は、前記三角屋根形状の頂部に、前記カバーの長手方向に沿った鉛直雪割片を接合したことを特徴とする請求項１から請求項３のいずれかに記載の防雪カバーである。
【００１１】
また、請求項５記載の発明は、前記三角屋根形状の下端が、前記雨樋の最外端よりもさらに外側に位置する請求項１から請求項４のいずれかに記載の防雪カバーである。
【００１２】
また、請求項６記載の発明は、前記鉛直位置決め片を、雨樋に設けた溝部に緊合する請求項２から請求項５のいずれかに記載の防雪カバーである。
【００１３】
また、請求項７記載の発明は、前記カバーを長手方向に複数個並べたときに、互いの左右の位置関係を決定するための相互位置決め片を、前記カバーの長手方向の端部に設けたことを特徴とする請求項１から請求項６のいずれかに記載の防雪カバーである。
【００１４】
また、請求項８記載の発明は、屋根の谷部に雨樋を設けた連棟ビニールハウスであって、この雨樋の上に請求項１から請求項７のいずれかに記載の防雪カバーを設置したことを特徴とする耐雪連棟ビニールハウスである。
【発明の効果】
【００１５】
請求項１記載の発明によれば、カバーの上部が左右両側にそれぞれ下り傾斜する三角屋根形状であることにより、雨樋上に雪が積もらず、カバー上に積もった雪が三角屋根形状をなす左右傾斜部を滑り適切に除去される。これにより、雪の重さによりビニールハウスのフレームが倒壊することがなくなる。
【００１６】
請求項２記載の発明によれば、請求項１に記載の発明の効果に加えて、カバーの下部に雨樋の溝部に挿入する鉛直位置決め片を設けたことにより、雨樋に対し適切な位置にカバーを設置することができる。
【００１７】
請求項３記載の発明によれば、請求項１または請求項２に記載の発明の効果に加えて、三角屋根の下端部分を内側に折り曲げることで軒を形成し、かつこの軒の端部を鉛直下方に向けて折り曲げることで、鉛直位置決め片を一体的に形成したことにより、一枚の板を折り曲げてカバーを製造できる。よって製造工程を短縮でき製造コストを抑えることができる。
【００１８】
請求項４記載の発明によれば、請求項１から請求項３のいずれかに記載の発明の効果に加えて、三角屋根形状の頂部に、カバーの長手方向に沿った鉛直雪割片を接合したことにより、カバー上に積もった雪が鉛直片により分割され、三角屋根形状の左右傾斜部でより滑りやすくなってカバー上に残ることがなくなり、より適切に雪が除去される。
【００１９】
請求項５記載の発明によれば、請求項１から請求項４のいずれかに記載の発明の効果に加えて、三角屋根形状の下端が、雨樋の最外端よりもさらに外側に位置することにより、雨樋の縁部に雪がとどまることがなくなり、適切に雪が除去される。
【００２０】
請求項６記載の発明によれば、請求項２または請求項３に記載の発明の効果に加えて、鉛直位置決め片を雨樋にある溝部に緊合することにより、一度設置した防雪カバーが容易に外れるのを防止できる。これにより横風等により容易に防雪カバーが飛ばされるのを防止できる。
【００２１】
請求項７記載の発明によれば、請求項１から請求項６のいずれかに記載の発明の効果に加えて、カバーの端部に相互の左右の位置決めをするための相互位置決め片を設けたことにより、複数の防雪カバーを設置する場合に位置合わせ作業を省力化でき、容易にカバーの設置をすることができる。
【００２２】
請求項８記載の発明によれば、請求項１から請求項７のいずれかに記載の発明の効果に加えて、屋根の谷部に設置した雨樋の上に雪割カバーを備えた耐雪連棟ビニールハウスにより、耐雪機能を備えたビニールハウスを安価に提供できる。
【図面の簡単な説明】
【００２３】
【図１】本発明にかかる第一実施形態の防雪カバーの全体斜視図である。
【図２】図１の防雪カバーの正面図及び側面図である。
【図３】本発明にかかる第二から第四実施形態の防雪カバーの正面図である。
【図４】本発明にかかる第五実施形態の防雪カバーの全体斜視図である。
【図５】図４の防雪カバーの正面図及び側面図である。
【図６】防雪カバーを設置した雨樋の正面拡大図である。
【図７】防雪カバーの設置状況を示したＳ部の拡大図である。
【図８】防雪カバーを設置した耐雪ビニールハウスの断面正面図である。
【発明を実施するための形態】
【００２４】
上記技術思想に基づいて具体的に構成された実施の形態について以下に図面を参照しつつ説明する。
【００２５】
図１には本発明にかかる第一実施形態の防雪カバーの全体斜視図を、図２（ａ）には図１の防雪カバーの正面図を、図２（ｂ）には側面図を示す。本件においては特に指摘がない限り防雪カバーの長手方向から見て左右と表現する。
【００２６】
本発明にかかる第一実施形態の防雪カバーは、連棟ビニールハウス８の屋根の谷部７に設けた雨樋１０の上に設置するカバーであり、この雨樋１０の上に設置した状態で、連棟ビニールハウス８の谷部７に沿った軸に垂直な面においてカバーの上面の断面形状が山型形状、即ちカバーの上部が左右両側にそれぞれ下り傾斜である三角屋根形状、即ち切妻屋根形状をしている。また、三角屋根の下端を含む下部分を内側に折り曲げることで軒を形成すると共に、この軒の端部を鉛直下方に向けて折り曲げることで、雨樋１０の溝部に挿入する鉛直位置決め片を一体的に形成している。そしてその三角屋根形状の頂部に、カバーの長手方向に沿った鉛直雪割片６を接合している。
【００２７】
まず第一実施形態にかかる防雪カバーの製造方法について説明する。第一実施形態の防雪カバーのうち、鉛直雪割片６と相互位置決め片５を除いた本体部分は、一枚のブリキ板をプレス機で折り曲げて製作する。長手方向３［ｍ］、短手方向０．６［ｍ］、厚さ０．８［ｍｍ］のブリキ板を準備し、まず強度を確保するため全４辺を内側に５［ｍｍ］折り曲げる。そして出来上がったものを更に折り曲げて図２（ａ）にある形状を形作り、その後で山型形状の頂部に鉛直片４と、カバー長手方向の片側端部に重ね合わせ部５をスポット溶接で接合する。
【００２８】
図２（ａ）にあるように防雪カバーの本体は、山型形状を形作る左右傾斜部２，２と、その左右傾斜部２，２に順次一体的に続く軒形成部３，３と、鉛直位置決め片４，４により構成する。即ち、防雪カバーの本体は１枚の板で構成する。長手方向は３[ｍ]の長さであり、高さは２５[ｃｍ]である。左右傾斜部２，２の間は略９０度とし、積雪した雪が落ちやすい角度にする。本実施形態では、左右傾斜部２，２は山型形状の頂部を含む線を対称軸とする線対称の形状となっているが、横風等を考慮して、山型形状の頂部が、左右いずれかに偏倚している場合もある。なお、三角屋根形状には、左右両側に下り傾斜平板を設けているもの全般を含む。
【００２９】
カバーの上部が左右両側にそれぞれ下り傾斜する三角屋根形状であることにより、雨樋１０上に雪が積もらず、カバー上に積もった雪が三角屋根形状をなす左右傾斜部を滑り適切に除去される。
【００３０】
軒形成部３，３は三角屋根の下端部分を内側に折り曲げて形成する。本実施形態においては三角屋根形状の下端が、雨樋１０の最外端よりもさらに外側に位置するようにして、その部分で折り曲げるようにする。左右傾斜部２と軒形成部３がなす角度は略６０度としているが、この軒形成部２の下方に位置する雨樋１０の端の形状によって異なる。また、軒形成部３の長さは、後に記載する鉛直位置決め片４が挿入される雨樋１０の雨樋溝部１０ａの位置によって決定する。
【００３１】
三角屋根形状の下端が、雨樋１０の最外端よりもさらに外側に位置することにより、雨樋１０の縁部に雪がとどまることがなくなり、適切に雪が除去される。
【００３２】
軒の端部を略鉛直下方に折り曲げることで、雨樋１０の溝部に挿入する鉛直位置決め片４，４を左右傾斜部２，２および軒形成部３，３と一体的に形成する。本実施形態においては鉛直位置決め片４が雨樋溝部１０ａに挿入されたときに略鉛直になるようにするので、雨樋溝部１０ａに挿入されていないとき鉛直位置決め片４の下方は若干内側に位置するようになる。鉛直位置決め片４の長さは、雨樋溝部１０ａの深さに依存するが、軒形成部３が雨樋１０に接触しないように十分な長さを確保する。
【００３３】
カバーの下部に雨樋１０の溝部１０ａに挿入する鉛直位置決め片４を設けたことにより、雨樋に対し適切な位置に防雪カバーを設置することができる。
【００３４】
また、三角屋根の下端部分を内側に折り曲げることで軒を形成し、かつこの軒の端部を鉛直下方に向けて折り曲げることで、鉛直位置決め片４を一体的に形成したことにより、一枚の板を折り曲げてカバーを製造できる。よって製造工程を短縮でき製造コストを抑えることができる。
【００３５】
ブリキ板を折り曲げてカバー本体を制作した後に、三角屋根形状の頂部にカバーの長手方向に沿った鉛直雪割片６をスポット溶接により接合する。鉛直雪割片６の厚さは本体部分のブリキ板と同じであり、長手方向の全体に亘った長さのものを取り付ける。本実施形態における三角屋根形状の頂部からの高さは、３０[ｃｍ]であるが、この高さは雪の質等により変更される。
【００３６】
三角屋根形状の頂部に、カバーの長手方向に沿った鉛直雪割片６を接合したことにより、カバー上に積もった雪が鉛直片により分割され、三角屋根形状の左右傾斜部でより滑りやすくなってカバー上に残ることがなくなり、より適切に雪が除去される。
【００３７】
最後にカバーの長手方向の片端部に、相互位置決め片５をスポット溶接で取り付ける。相互位置決め片５，５は左右傾斜部２，２の内側にカバー端部から５[ｃｍ]程度はみ出した状態でそれぞれ取り付けられる。相互位置決め片５の厚さはカバー本体と同じである。
【００３８】
カバーの端部に相互の左右の位置決めをするための相互位置決め片５を設けたことにより、複数の防雪カバーを設置する場合に位置合わせ作業を省力化でき、容易にカバーの設置をすることができる。
【００３９】
次に第一実施形態にかかる防雪カバーの使用方法について図６から図８を用いて説明する。図６は、防雪カバーを設置した雨樋１０を正面やや上方から見た正面拡大図であり、図７は、図６のＳ部の拡大図である。図６（ａ）は鉛直位置決め片４が雨樋溝部１０ａに挿入される前の図であり、図６（ｂ）は雨樋溝部１０ａに鉛直位置決め片４が挿入された後の図である。図８は、本実施形態の防雪カバーを設置した連棟の耐雪ビニールハウスの断面の正面図である。
【００４０】
ビニールハウスの構造について簡単に説明する。ビニールハウスは、逆Ｕ字型のフレーム用パイプにより構成する。逆Ｕ字型のフレーム用パイプは、アーチ形に湾曲させた屋根部パイプ１１と、直状の柱部パイプ１２とをパイプ継手１３で連結したものである。そして地中に埋設した地中基礎１４の上に、Ｃ型のチャンネル材等で形成した基礎１５を設け、それらの側面に約４０〜５０[ｃｍ]の間隔で半割円筒状の挿着金具を溶接し、ここに柱部パイプ１２の下端部を挿着してフレーム用パイプを固定しビニールハウスの骨組みとする。
【００４１】
ビニールハウスを連棟で建設する際には、隣接する柱状パイプ１２は、ビニールハウスの谷部７において連結金具１６，１６で連結する。そしてビニールハウスの屋根の谷部７にビニールハウスの棟方向、即ち長手方向に沿って雨樋１０を設ける。雨樋１０はアルミニウムの押出し材など金属で形成され、雨水が流れるよう傾斜して取付ける。
【００４２】
ビニールハウスの内側にある樹木９が、サクランボである場合は、東北地方で雪が解ける４月ごろに屋根をプラスチックフィルムで覆い、収穫期である６，７月までそのプラスチックフィルムで果実に雨などが直接当たることを防止する。そして収穫終了後プラスチックフィルムをはずし、その後第一実施形態にかかる防雪カバーを雨樋１０に取り付けて冬を越す。
【００４３】
防雪カバーを取り付ける際は、雨樋１０上にある雨樋溝部１０ａに防雪カバーの鉛直位置決め片４，４を挿入する。雨樋溝部１０ａ、１０ａはビニールハウスの棟方向に沿って設けられ、通常ビニールハウスをプラスチックフィルムで覆うときの、プラスチックフィルムの固定に用いる。図７（ａ）に示すように防雪カバーの鉛直位置決め片４は、雨樋溝部１０ａに挿入する前は防雪カバーの中心に向けて若干傾いた姿勢となる。そして図７（ｂ）に示すように雨樋溝部１０ａに挿入されると鉛直姿勢になる。即ち挿入された状態では鉛直位置決め片４，４が防雪カバーの外側に向けて付勢される状態になり、その付勢力による摩擦で防雪カバーは雨樋１０に対し緊合されることになる。そしてビニールハウスの棟方向に雨樋１０のすべてを覆うように防雪カバーを並べる。この際防雪カバーの端部に相互位置決め片があることにより、複数の防雪カバーの左右の位置決めを容易にすることができる。雨樋１０のすべてを覆った後、ケーブルタイやＰＰバンドの結束ひもによって雨樋１０に防雪カバーを固定する。
【００４４】
鉛直位置決め片６を雨樋１０にある溝部１０ａに緊合することにより、一度設置した防雪カバーが容易に外れるのを防止できる。これにより横風等により容易に防雪カバーが飛ばされるのを防止できる。
【００４５】
このように防雪カバーを設置することで、雨樋１０上に雪が積もることを防止でき、ビニールハウスの倒壊を防止できる。即ち、屋根の谷部７に設置した雨樋１０の上に雪割カバーを備えた耐雪連棟ビニールハウスにより、耐雪機能を備えたビニールハウスを安価に提供できる。
【００４６】
図３には本発明にかかる第二及び第三実施形態の防雪カバーの正面図を示す。第二実施形態を（ａ）図、第三実施形態を（ｂ）図に示す。第一実施形態では、左右傾斜部２，２と軒形成部３，３と鉛直位置決め片４，４とを一枚のブリキ板を折り曲げることでカバー本体を製作したが、第二実施形態では左右傾斜部２，２の下、即ちカバーの下部に鉛直位置決め片４，４をスポット溶接で接合している。また第三実施形態では、左右傾斜部２，２の下端同士を結合するブリキ板等の結合板１７を設け、その結合板１７に鉛直位置決め片４，４をスポット溶接で接合している。第三実施形態では、左右傾斜部２，２の下端同士が鉄板で結合されているので、防雪カバーの剛性が増し変形が生じにくくなる。よって防雪カバーの耐久性が向上する。
【００４７】
また第四実施形態の防雪カバーの正面図を図３（ｃ）に示す。第四実施形態の防雪カバーは、カバーの上部が左右両側にそれぞれ下り傾斜している点では共通するが、アーチ断面を平行に押し出したヴォールトの形状、即ちかまぼこ形状をしている。この構成とすることにより、防雪カバーの剛性が増し変形が生じにくくなる。よって防雪カバーの耐久性が向上する。
【００４８】
図４には本発明にかかる第二実施形態の防雪カバーの全体斜視図を、図５（ａ）には図３の防雪カバーの正面図を、図５（ｂ）には側面図を示す。
【００４９】
本発明にかかる第二実施形態の防雪カバーの、第一実施形態にかかる防雪カバーとの異なる点は、三角屋根形状の上部の鉛直雪割片６と相互位置決め片５を取り除き、一枚のブリキ板の折り曲げ加工のみで製作可能である点である。第二実施形態の場合、第一実施形態に比較するとより簡易な工程で防雪カバーを製作でき、コストを抑え安価な防雪カバーを提供することができる。
【００５０】
また、雨樋１０の形状によっては位置決め片４がない防雪カバーも考えられる。さらに安価に制作するために軒形成部３を省略し、三角屋根形状のみの防雪カバーも考えられる。
【００５１】
第一実施形態にかかる防雪カバーの本体、および第五実施形態にかかる防雪カバーは１枚のブリキ板で加工したが、ステンレス板やアルミ板を使用したり、ＳＳ材にペンキ等で防錆処理をしたりして耐腐食性を高めた防雪カバーを製作することもできる。また、エンジニアリングプラスチックの板を組み合わせて制作することも可能である。
【００５２】
１  防雪カバー
２  左右傾斜部
３  軒形成部
４  鉛直位置決め片
５  相互位置決め片部
６  鉛直雪割片
７  谷部
８  連棟ビニールハウス
９  樹木
１０  雨樋
１０ａ  雨樋溝部
１１  屋根部パイプ
１２  柱部パイプ
１３  パイプ継手
１４  地中基礎
１５  基礎
１６  連結金具
１７  結合板
【図１】
2014057550.tif 000003
【図２】
2014057550.tif 000004
【図３】
2014057550.tif 000005
【図４】
2014057550.tif 000006
【図５】
2014057550.tif 000007
【図６】
2014057550.tif 000008
【図７】
2014057550.tif 000009
【図８】
2014057550.tif 000010